(57)【要約】【課題】材料コスト及び組立コストが大幅に下がり、競争力を高める浮彫図版を具えたシュレッダーのカッター軸の提供。【解決手段】浮彫図版を具えたシュレッダーのカッター軸は、第一カッター軸円周に浮彫の図版もしくは文字を設置し、第一カッター軸に相対する第二カッター軸円周には網状の押圧跡を具える。紙がしっかりと接触し、更に回転する二つのカッター軸に相対し、第一カッター軸円周の浮彫図版もしくは文字によって押されて壊れ、その破砕状の紙もしくは紙片の残った部分は透かし形状で、浮彫図版もしくは文字と同じである。【選択図】図３
0003132938.tif 000002
【実用新案登録請求の範囲】
【請求項１】
浮彫図版を具えたシュレッダーのカッター軸において、
第一カッター軸の円周に浮彫図版もしくは文字を設置することを特徴とする浮彫図版を具えたシュレッダーのカッター軸。
【考案の詳細な説明】
【技術分野】
【０００１】
本考案は、シュレッダーに関するもので、特に浮彫図版を具えたシュレッダーのカッター軸に係わるものである。
【背景技術】
【０００２】
公知の紙を細かくするシュレッダーの作動原理は、多数のカッター(cutting blades)を間隔環(space cross)と合わせ、回転カッター軸(rotary shafts)を入れ、モータ及びギア装置(motor and gear box)で二本の平行且つ相対的に回転するカッター軸を駆動させ、通過した紙に対して切断して、紙を細かく細長状にする。またシュレッダーのカットモジュールは異なり、直線式シュレッダー(stripe-cut shredders)及びクロスカット式シュレッダー(cross-cut shredders)の二種に分けられる。前者はカット用のカッターを回転カッターロール上に配列して紙を縦方向に切って細長状にする。後者のカッターには、一個以上の鈎状カッターを具え、且つカッターは回転カッターロール上に於いて、螺旋状に配列し、紙を縦方向にカットするだけでなく、横方向にも裁断して細かい紙にする。
【０００３】
図１に示すのは、公知のカッターの組立立体図で、図２は公知のカッターの動作指示図である。この公知のカッターは金属板片を材料とし、金型を使用して機械プレスで成型して円形カッターとする。カッターの中心には回転カッター軸を差し込む中心孔Ａ１を成形する。またカッターの円周辺には１２０度毎に鈎状歯Ａ２を成形し、図に示すとおり、回転カッター軸Ｓを差し込んだ二枚のカッター片がバックツーバック(back-to-back)方式で一組に合併した時、この二枚のカッター片の鈎状歯はＶ字型のカッター口Ａ３に形成され、向かい合った回転カッター軸Ｓ´が二枚のカッター片を間隔環(図未提示)で隔て、フェイスツーフェイス(face-to-face)方式で別の一組のカッター片Ａ´を形成する。紙が相対して回転する二枚のカッター軸Ｓ、Ｓ´を通過すると、カッター片円周もまたカッター幅Ａ４とカッター幅Ａ４の間を相対して回転し、紙を挟みのように細かく切り、鈎状カッター歯Ａ２と対面するカッター幅Ａ４の相対運動によって、紙を横向に細かくする。
【０００４】
シュレッダーの過程でわかるとおり、回転カッター軸上に、順に配列したカッター片及び間隔部品のコスト及び組立費用は相当に高い比率を占めるため、価格競争に対応できない。この他、従来のシュレッダーのカッター片が裁断した紙片は外観上が変らないので、消費者の要求に応えていない点である。
【考案の開示】
【考案が解決しようとする課題】
【０００５】
本考案の主な目的は、浮彫図版を具えたシュレッダーのカッター軸を提供し、第一カッター軸の円周に浮彫図版もしくは文字を設置し、第一カッター軸に相対する第二カッター軸円周には網状押圧跡を具える。紙がしっかりと接触し、更に回転する二つのカッター軸に相対し、第一カッター軸円周の浮彫図版もしくは文字によって押されて壊れ、その破砕状の紙もしくは紙片の残った部分を透かし形状にして、その形状は浮彫図版もしくは文字と同じである。
【０００６】
本考案の別の目的は、浮彫図版を具えたシュレッダーのカッター軸を提供し、公知のカッター片及び間隔環を省略することにより、材料コスト及び組立コストを下げて、全体の生産コストを下げる。
【０００７】
本考案の更に別の目的は、浮彫図版を具えたシュレッダーのカッター軸を提供し、破砕後の紙条もしくは紙片の形状は、浮彫図版もしくは文字と同じであり。趣味性は公知と比較にならないほどに高まる。この図版もしくは文字区には商標を設置して広告効果も高める。
【０００８】
上述の目的のために、本考案では浮彫図版を具えたシュレッダーのカッター軸を提示する。そのうち、第一カッター軸円周には一体成型方式で浮彫図版もしくは文字が設置され、第一カッター軸に相対する第二カッター軸の円周には網状押圧跡を具える。紙がしっかりと接触し、更に回転する二つのカッター軸に相対し、第一カッター軸円周の浮彫図版もしくは文字によって押されて壊れ、その破砕状の紙もしくは紙片の残った部分は透かし形状で、浮彫図版もしくは文字と同じである。
【課題を解決するための手段】
【０００９】
請求項１の考案は、浮彫図版を具えたシュレッダーのカッター軸において、
第一カッター軸の円周に浮彫図版もしくは文字を設置することを特徴とする浮彫図版を具えたシュレッダーのカッター軸としている。
【考案の効果】
【００１０】
本考案の浮彫図版を具えたシュレッダーのカッター軸は、材料コスト及び組立コストが大幅に下がり、競争力を高めるという利点がある。
【考案を実施するための最良の形態】
【００１１】
図３及び図５は、本考案の第一カッターの正面図及び展開図であり、図４は本考案の第二カッター軸の正面図である。
上述の各図はシュレッダーのカッター軸で、そのうち第一カッター軸１の円周上に複数の浮彫の図版もしくは文字が形成され、例として図５の第一列の浮彫文字は、有名なチェーン店WALMARTの商標名称１１で、第二列は指の図版１２とする。また、第一列１１と第二列１２の間には第一カッター軸の円周に突出したカッター歯１３で仕切りを形成し、これを複数回繰り返す。第４図の第二カッター軸２の円周には網状押圧跡２１を設置する。
【００１２】
上述の第一カッター軸と第二カッター軸がしっかりと接触し、相対して回転する時、通過した紙は、列に並んだカッター歯１３に筋状に切断され、その筋状の片にはすべて相対する図版もしくは文字の孔が開けられる。紙の破壊程度を高めるだけでなく、復元しにくくなり、文書の内容が外に漏れるのを防ぐ。更に例としてWALTMARTのような文字区がその他のチェーン量販店、例としてOffice Max(OMX)と区別してシュレッダー製品の識別性により、商業広告効果を高め、利益を拡大する。
【００１３】
この他、公知のカッター片と間隔環が、本考案では完全に省略されているため、材料コスト及び組立コストを節約して生産コストを下げ、競争力を高める。
【００１４】
以上から、本考案は、第一カッター軸の円周に浮彫図版もしくは文字を設置し、第二カッター軸の円周には網状押圧跡を具えた革命的特殊構造により、有効に生産コストを下げ、更にはシュレッダーの市場競争力を大幅に高める。
【図面の簡単な説明】
【００１５】
【図１】公知のシュレッダーのカッター片の組立立体図である。
【図２】公知のシュレッダーのカッター片の動作図である。
【図３】本考案の第一カッター軸の正面図である。
【図４】本考案の第二カッター軸の正面図である。
【図５】本考案の第一カッター軸の展開図である。
【符号の説明】
【００１６】
１        第一カッター軸
１１      第一列文字
１２      第二列図版
１３      カッター歯
２        第二カッター軸
２１      網状押圧跡
【図１】
0003132938.tif 000003
【図２】
0003132938.tif 000004
【図３】
0003132938.tif 000005
【図４】
0003132938.tif 000006
【図５】
0003132938.tif 000007
【手続補正書】
【提出日】平成19年3月8日(2007.3.8)
【手続補正１】
【補正対象書類名】実用新案登録請求の範囲
【補正対象項目名】全文
【補正方法】変更
【補正の内容】
【実用新案登録請求の範囲】
【請求項１】
浮彫図版を具えたシュレッダーのカッター軸において、
第一カッター軸の円周に浮彫図版もしくは浮彫文字を設置することを特徴とする浮彫図版を具えたシュレッダーのカッター軸。
【手続補正２】
【補正対象書類名】明細書
【補正対象項目名】全文
【補正方法】変更
【補正の内容】
【考案の詳細な説明】
【技術分野】
【０００１】
本考案は、シュレッダーに関するもので、特に浮彫図版を具えたシュレッダーのカッター軸に係わるものである。
【背景技術】
【０００２】
公知の紙を細かくするシュレッダーの作動原理は、多数のカッター(cutting blades)を間隔環(space cross)と合わせ、回転カッター軸(rotary shafts)を入れ、モータ及びギア装置(motor and gear box)で二本の平行且つ相対的に回転するカッター軸を駆動させ、通過した紙に対して切断して、紙を細かく細長状にする。またシュレッダーのカットモジュールは異なり、直線式シュレッダー(stripe-cut shredders)及びクロスカット式シュレッダー(cross-cut shredders)の二種に分けられる。前者はカット用のカッターを回転カッターロール上に配列して紙を縦方向に切って細長状にする。後者のカッターには、一個以上の鈎状カッターを具え、且つカッターは回転カッターロール上に於いて、螺旋状に配列し、紙を縦方向にカットするだけでなく、横方向にも裁断して細かい紙にする。
【０００３】
図１に示すのは、公知のカッターの組立立体図で、図２は公知のカッターの動作指示図である。この公知のカッターは金属板片を材料とし、金型を使用して機械プレスで成型して円形カッターとする。カッターの中心には回転カッター軸を差し込む中心孔Ａ１を成形する。またカッターの円周辺には１２０度毎に鈎状歯Ａ２を成形し、図に示すとおり、回転カッター軸Ｓを差し込んだ二枚のカッター片がバックツーバック(back-to-back)方式で一組に合併した時、この二枚のカッター片の鈎状歯はＶ字型のカッター口Ａ３に形成され、向かい合った回転カッター軸Ｓ´が二枚のカッター片を間隔環(図未提示)で隔て、フェイスツーフェイス(face-to-face)方式で別の一組のカッター片Ａ´を形成する。紙が相対して回転する二枚のカッター軸Ｓ、Ｓ´を通過すると、カッター片円周もまたカッター幅Ａ４とカッター幅Ａ４の間を相対して回転し、紙を挟みのように細かく切り、鈎状カッター歯Ａ２と対面するカッター幅Ａ４の相対運動によって、紙を横向に細かくする。
【０００４】
シュレッダーの過程でわかるとおり、回転カッター軸上に、順に配列したカッター片及び間隔部品のコスト及び組立費用は相当に高い比率を占めるため、価格競争に対応できない。この他、従来のシュレッダーのカッター片が裁断した紙片は外観上が変らないので、消費者の要求に応えていない点である。
【考案の開示】
【考案が解決しようとする課題】
【０００５】
本考案の主な目的は、浮彫図版を具えたシュレッダーのカッター軸を提供し、第一カッター軸の円周に浮彫図版もしくは浮彫文字を設置し、第一カッター軸に相対する第二カッター軸円周には網状押圧跡を具える。紙がしっかりと接触し、更に回転する二つのカッター軸に相対し、第一カッター軸円周の浮彫図版もしくは浮彫文字によって押されて壊れ、その破砕状の紙もしくは紙片の残った部分を透かし形状にして、その形状は浮彫図版もしくは浮彫文字と同じである。
【０００６】
本考案の別の目的は、浮彫図版を具えたシュレッダーのカッター軸を提供し、公知のカッター片及び間隔環を省略することにより、材料コスト及び組立コストを下げて、全体の生産コストを下げる。
【０００７】
本考案の更に別の目的は、浮彫図版を具えたシュレッダーのカッター軸を提供し、破砕後の紙条もしくは紙片の形状は、浮彫図版もしくは浮彫文字と同じであり、趣味性は公知と比較にならないほどに高まる。この図版もしくは文字区には商標を設置して広告効果も高める。
【０００８】
上述の目的のために、本考案では浮彫図版を具えたシュレッダーのカッター軸を提示する。そのうち、第一カッター軸円周には一体成型方式で浮彫図版もしくは浮彫文字が設置され、第一カッター軸に相対する第二カッター軸の円周には網状押圧跡を具える。紙がしっかりと接触し、更に回転する二つのカッター軸に相対し、第一カッター軸円周の浮彫図版もしくは浮彫文字によって押されて壊れ、その破砕状の紙もしくは紙片の残った部分は透かし形状で、浮彫図版もしくは浮彫文字と同じである。
【課題を解決するための手段】
【０００９】
請求項１の考案は、浮彫図版を具えたシュレッダーのカッター軸において、
第一カッター軸の円周に浮彫図版もしくは浮彫文字を設置することを特徴とする浮彫図版を具えたシュレッダーのカッター軸としている。
【考案の効果】
【００１０】
本考案の浮彫図版を具えたシュレッダーのカッター軸は、材料コスト及び組立コストが大幅に下がり、競争力を高めるという利点がある。
【考案を実施するための最良の形態】
【００１１】
図３及び図５は、本考案の第一カッターの正面図及び展開図であり、図４は本考案の第二カッター軸の正面図である。
上述の各図はシュレッダーのカッター軸で、そのうち第一カッター軸１の円周上に複数の浮彫の図版もしくは浮彫文字が形成され、例として図５の第一列浮彫文字１１は、有名なチェーン店WALMART（登録商標）の商標名称で、第二列図版１２とする。また、第一列浮彫文字１１と第二列図版１２の間には第一カッター軸１の円周に突出したカッター歯１３で仕切りを形成し、これを複数回繰り返す。第４図の第二カッター軸２の円周には網状押圧跡２１を設置する。
【００１２】
上述の第一カッター軸１と第二カッター軸２がしっかりと接触し、相対して回転する時、通過した紙は、列に並んだカッター歯１３に筋状に切断され、その筋状の片にはすべて相対する図版もしくは浮彫文字の孔が開けられる。紙の破壊程度を高めるだけでなく、復元しにくくなり、文書の内容が外に漏れるのを防ぐ。更に例としてWALTMART（登録商標）のような文字区がその他のチェーン量販店、例としてOffice Max(OMX)（登録商標）と区別してシュレッダー製品の識別性により、商業広告効果を高め、利益を拡大する。
【００１３】
この他、公知のカッター片と間隔環が、本考案では完全に省略されているため、材料コスト及び組立コストを節約して生産コストを下げ、競争力を高める。
【００１４】
以上から、本考案は、第一カッター軸１の円周に浮彫図版もしくは浮彫文字を設置し、第二カッター軸２の円周には網状押圧跡を具えた革命的特殊構造により、有効に生産コストを下げ、更にはシュレッダーの市場競争力を大幅に高める。
【図面の簡単な説明】
【００１５】
【図１】公知のシュレッダーのカッター片の組立立体図である。
【図２】公知のシュレッダーのカッター片の動作図である。
【図３】本考案の第一カッター軸の正面図である。
【図４】本考案の第二カッター軸の正面図である。
【図５】本考案の第一カッター軸の展開図である。
【符号の説明】
【００１６】
１        第一カッター軸
１１      第一列浮彫文字
１２      第二列図版
１３      カッター歯
２        第二カッター軸
２１      網状押圧跡
【手続補正３】
【補正対象書類名】図面
【補正対象項目名】全図
【補正方法】変更
【補正の内容】
【図１】
0003132938.tif 000008
【図２】
0003132938.tif 000009
【図３】
0003132938.tif 000010
【図４】
0003132938.tif 000011
【図５】
0003132938.tif 000012